(57)【要約】      （修正有）【課題】川面浮遊物の引き上げ処理を省力化する浮遊物回収処理船を提供する。【解決手段】ゴミ船１９を含み、前記ゴミ船の前後両側には支持板１６が固定的に取り付けられ、前記ゴミ船の左側には川面ゴミを引き上げられる引き上げ機構１０１が設置され、前記引き上げ機構は前記ゴミ船の左側面に固定的に取り付けられた回収箱６２を含み、前記回収箱の中には回収チャンバ１５が設置され、前記回収チャンバの左側内壁には第二フィルタ４４がヒンジにより取り付けられ、前記回収箱の中には回転ロッド１４が回転できるように取り付けられ、前記回転ロッドには収集箱が固定的に取り付けられる。【選択図】図１
2020196422.tif 000002
【特許請求の範囲】
【請求項１】
正面視で、ゴミ船を含み、前記ゴミ船の前後両側には支持板が固定的に取り付けられ、前記ゴミ船の左側には川面ゴミを引き上げられる引き上げ機構が設置され、前記引き上げ機構は前記ゴミ船の左側面に固定的に取り付けられた回収箱を含み、前記回収箱の中には回収チャンバが設置され、前記回収チャンバの左側内壁には第二フィルタがヒンジにより取り付けられ、前記回収箱の中には回転ロッドが回転できるように取り付けられ、前記回転ロッドには収集箱が固定的に取り付けられ、前記収集箱の中には収集チャンバが設置され、前記収集チャンバの左右内壁の間には第一フィルタが固定され、前記第一フィルタと前記第二フィルタにより、川面ゴミが前記収集チャンバと前記回収チャンバの中に残され、川面ゴミを収集し、
前記引き上げ機構の下方には前記回収チャンバの中のゴミを送ることができる送り機構が設置され、前記ゴミ船の中にはまた連結チャンバが設置され、前記連結チャンバの右側には圧縮チャンバが設置され、前記圧縮チャンバの中にはゴミを圧縮できる圧縮機構が設置され、前記送り機構が前記連結チャンバによりゴミを前記圧縮機構の中に送った後、前記圧縮機構がゴミを押し、またゴミから押された水分を排出することを特徴とする川面浮遊物回収処理船。
【請求項２】
前記引き上げ機構はまた動力チャンバと、モーターと、動力ロッドと、第一傘歯車と、伝動チャンバと、伝動ロッドと、第二傘歯車と、第一歯車と、第二歯車と、第一チェーンにより構成され、
前記動力チャンバが前記ゴミ船の中に設置され、前記動力チャンバの頂壁の中には前記モーターが固定的に取り付けられ、前記モーターの下方向きの出力軸の底面には前記動力ロッドが固定的に取り付けられ、前記動力ロッドには前記第一傘歯車が固定的に取り付けられ、前記動力チャンバの後側において前記支持板の中には前記伝動チャンバが設置され、前記動力チャンバと前記伝動チャンバとの間には前記伝動ロッドが回転できるように取り付けられ、前記伝動ロッドの前側面には前記第二傘歯車が固定的に取り付けられ、前記第二傘歯車と前記第一傘歯車とが噛合しており、前記伝動ロッドの後側面には前記第一歯車が固定的に取り付けられ、前記回転ロッドが後方に延びて前記伝動チャンバの前側内壁を貫通しており、前記回転ロッドの後側面には前記第二歯車が固定的に取り付けられ、前記第二歯車と前記第一歯車との間には前記第一チェーンが伝動できるように取り付けられることを特徴とする請求項１に記載の川面浮遊物回収処理船。
【請求項３】
前記送り機構はプッシュチャンバと、プッシュブロック及びねじ山穴により構成され、
前記プッシュチャンバが前記動力チャンバの下方に設置され、前記動力ロッドが下方に延びて前記プッシュチャンバの頂壁を貫通しており、前記プッシュチャンバの中には前記プッシュブロックがスライドできるように取り付けられ、前記プッシュブロックの中には上方に開口した前記ねじ山穴が設置され、前記ねじ山穴と前記動力ロッドとがねじ山により取り付けられることを特徴とする請求項１に記載の川面浮遊物回収処理船。
【請求項４】
前記プッシュチャンバの左側にはばねチャンバが設置され、前記ばねチャンバの中には止めブロックがスライドできるように取り付けられ、前記止めブロックの頂面と前記ばねチャンバの頂壁との間にはばねが固定的に取り付けられ、前記止めブロックの底面と前記プッシュブロックの頂面とが貼り合わせられていることを特徴とする請求項３に記載の川面浮遊物回収処理船。
【請求項５】
前記第二フィルタ底面には移動溝が設置され、前記移動溝の中には移動ブロックがスライドできるように取り付けられ、前記移動ブロックには仕切板がヒンジにより取り付けられ、前記仕切板と前記ゴミ船とがヒンジにより連結され、前記ゴミ船の左側面において前記回収箱の下方には補助箱が固定的に取り付けられ、前記補助箱の中には上方に開口したスライドチャンバが前後対称に設置され、前記スライドチャンバの右側において前記ゴミ船の中には噛合チャンバが設置され、前記スライドチャンバの左側内壁の中には前記噛合チャンバの左側内壁を貫通しているねじ山ロッドが回転できるように取り付けられ、前記ねじ山ロッドにはねじ山ブロックがねじ山により取り付けられ、前記ねじ山ブロックと前記スライドチャンバとがスライドできるように取り付けられ、前記ねじ山ブロックにはヒンジロッドがヒンジにより取り付けられ、前記ヒンジロッドと前記第二フィルタとがヒンジにより取り付けられ、前記ねじ山ロッドの右側面には第三傘歯車が固定的に取り付けられ、後側の前記噛合チャンバの後側にはチェーンチャンバが設置され、前記チェーンチャンバと前側の前記噛合チャンバとの間には連結ロッドが回転できるように取り付けられ、前記連結ロッドにおいて前記噛合チャンバの中には第四傘歯車が固定的に取り付けられ、前記第四傘歯車と前記第三傘歯車とが噛合しており、前記連結ロッドの後側面には第三歯車が固定的に取り付けられ、前記伝動ロッドにおいて前記チェーンチャンバの中には第四歯車が固定的に取り付けられ、前記第四歯車と前記第三歯車との間には第二チェーンが伝動できるように取り付けられることを特徴とする請求項３に記載の川面浮遊物回収処理船。
【請求項６】
前記圧縮機構は圧縮板と、液圧ポンプ、液圧ロッド及び固定板により構成され、
前記圧縮板が前記圧縮チャンバの中にスライドできるように取り付けられ、前記圧縮チャンバの頂壁の中には前記液圧ポンプが固定的に取り付けられ、前記液圧ポンプの底面には前記液圧ロッドが固定的に取り付けられ、前記液圧ロッドの底面と前記圧縮板の頂面とが固定的に連結され、前記圧縮チャンバの中には前記固定板が固定的に取り付けられることを特徴とする請求項１に記載の川面浮遊物回収処理船。
【請求項７】
前記圧縮チャンバの右側内壁には前記ゴミ船の頂面を貫通している取り出し口が連通するように設置されることを特徴とする請求項６に記載の川面浮遊物回収処理船。
【請求項８】
前記固定板の中には抜き穴が設置されることを特徴とする請求項６に記載の川面浮遊物回収処理船。
【請求項９】
前記圧縮チャンバの右側にはポンプが設置され、前記ポンプの左側面には前記圧縮チャンバに連通している給水管が固定的に取り付けられ、前記ポンプの右側面には前記ゴミ船の頂面を貫通している排水管が固定的に取り付けられることを特徴とする請求項６に記載の川面浮遊物回収処理船。
【発明の詳細な説明】
【技術分野】
【０００１】
本発明は川面ゴミ回収技術分野を取り上げて、具体的には川面浮遊物回収処理船である。
【背景技術】
【０００２】
人々にポイ捨てされたゴミが川面に落ちる可能性があり、その結果、川面にある浮遊物が多くなってしまい、川を汚染し、長時間になると、水が臭くなり、川の生態環境が破壊される。
一般的には人力引き上げで川面浮遊物を引き上げて処理するが、引き上げる過程では、多くの労働力と体力を消費し、引き上げ不完全の可能性があり、同時に、人力引き上げの浮遊物には多くの水分があり、浮遊物を運搬する過程では、多くの体力を消費し、引き上げる速度に影響し、浮遊物の再加工処理にも一定の影響を与える。
【先行技術文献】
【特許文献】
【０００３】
【特許文献１】中国特許出願公開第102020004号明細書
【発明の概要】
【発明が解決しようとする課題】
【０００４】
本発明の目的は川面浮遊物回収処理船を提供し、それは上記の現在の技術中の問題を解決できる。
【課題を解決するための手段】
【０００５】
本発明の実施例の川面浮遊物回収処理船は、ゴミ船を含み、前記ゴミ船の前後両側には支持板が固定的に取り付けられ、前記ゴミ船の左側には川面ゴミを引き上げられる引き上げ機構が設置され、前記引き上げ機構は前記ゴミ船の左側面に固定的に取り付けられた回収箱を含み、前記回収箱の中には回収チャンバが設置され、前記回収チャンバの左側内壁には第二フィルタがヒンジにより取り付けられ、前記回収箱の中には回転ロッドが回転できるように取り付けられ、前記回転ロッドには収集箱が固定的に取り付けられ、前記収集箱の中には収集チャンバが設置され、前記収集チャンバの左右内壁の間には第一フィルタが固定され、前記第一フィルタと前記第二フィルタにより、川面ゴミが前記収集チャンバと前記回収チャンバの中に残され、川面ゴミを収集し、
前記引き上げ機構の下方には前記回収チャンバの中のゴミを送ることができる送り機構が設置され、前記ゴミ船の中にはまた連結チャンバが設置され、前記連結チャンバの右側には圧縮チャンバが設置され、前記圧縮チャンバの中にはゴミを圧縮できる圧縮機構が設置され、前記送り機構が前記連結チャンバによりゴミを前記圧縮機構の中に送った後、前記圧縮機構がゴミを押し、またゴミから押された水分を排出する。
【０００６】
前記引き上げ機構はまた動力チャンバと、モーターと、動力ロッドと、第一傘歯車と、伝動チャンバと、伝動ロッドと、第二傘歯車と、第一歯車と、第二歯車と、第一チェーンにより構成され、前記動力チャンバが前記ゴミ船の中に設置され、前記動力チャンバの頂壁の中にはモーターが固定的に取り付けられ、前記モーターの下方向きの出力軸の底面には動力ロッドが固定的に取り付けられ、前記動力ロッドには第一傘歯車が固定的に取り付けられ、前記動力チャンバの後側において前記支持板の中には伝動チャンバが設置され、前記動力チャンバと前記伝動チャンバとの間には伝動ロッドが回転できるように取り付けられ、前記伝動ロッドの前側面には第二傘歯車が固定的に取り付けられ、前記第二傘歯車と前記第一傘歯車とが噛合しており、前記伝動ロッドの後側面には第一歯車が固定的に取り付けられ、前記回転ロッドが後方に延びて前記伝動チャンバの前側内壁を貫通しており、前記回転ロッドの後側面には第二歯車が固定的に取り付けられ、前記第二歯車と前記第一歯車との間には第一チェーンが伝動できるように取り付けられる。
【０００７】
前記送り機構はプッシュチャンバと、プッシュブロック及びねじ山穴により構成され、前記プッシュチャンバが前記動力チャンバの下方に設置され、前記動力ロッドが下方に延びて前記プッシュチャンバの頂壁を貫通しており、前記プッシュチャンバの中にはプッシュブロックがスライドできるように取り付けられ、前記プッシュブロックの中には上方に開口したねじ山穴が設置され、前記ねじ山穴と前記動力ロッドとがねじ山により取り付けられる。
【０００８】
前記プッシュチャンバの左側にはばねチャンバが設置され、前記ばねチャンバの中には止めブロックがスライドできるように取り付けられ、前記止めブロックの頂面と前記ばねチャンバの頂壁との間にはばねが固定的に取り付けられ、前記止めブロックの底面と前記プッシュブロックの頂面とが貼り合わせられている。
【０００９】
前記第二フィルタ底面には移動溝が設置され、前記移動溝の中には移動ブロックがスライドできるように取り付けられ、前記移動ブロックには仕切板がヒンジにより取り付けられ、前記仕切板と前記ゴミ船とがヒンジにより連結され、前記ゴミ船の左側面において前記回収箱の下方には補助箱が固定的に取り付けられ、前記補助箱の中には上方に開口したスライドチャンバが前後対称に設置され、前記スライドチャンバの右側において前記ゴミ船の中には噛合チャンバが設置され、前記スライドチャンバの左側内壁の中には前記噛合チャンバの左側内壁を貫通しているねじ山ロッドが回転できるように取り付けられ、前記ねじ山ロッドにはねじ山ブロックがねじ山により取り付けられ、前記ねじ山ブロックと前記スライドチャンバとがスライドできるように取り付けられ、前記ねじ山ブロックにはヒンジロッドがヒンジにより取り付けられ、前記ヒンジロッドと前記第二フィルタとがヒンジにより取り付けられ、前記ねじ山ロッドの右側面には第三傘歯車が固定的に取り付けられ、後側の前記噛合チャンバの後側にはチェーンチャンバが設置され、前記チェーンチャンバと前側の前記噛合チャンバとの間には連結ロッドが回転できるように取り付けられ、前記連結ロッドにおいて前記噛合チャンバの中には第四傘歯車が固定的に取り付けられ、前記第四傘歯車と前記第三傘歯車とが噛合しており、前記連結ロッドの後側面には第三歯車が固定的に取り付けられ、前記伝動ロッドにおいて前記チェーンチャンバの中には第四歯車が固定的に取り付けられ、前記第四歯車と前記第三歯車との間には第二チェーンが伝動できるように取り付けられる。
【００１０】
前記圧縮機構は圧縮板と、液圧ポンプ及び固定板により構成され、前記圧縮板が前記圧縮チャンバの中にスライドできるように取り付けられ、前記圧縮チャンバの頂壁の中には液圧ポンプが固定的に取り付けられ、前記液圧ポンプの底面には液圧ロッドが固定的に取り付けられ、前記液圧ロッドの底面と前記圧縮板の頂面とが固定的に連結され、前記圧縮チャンバの中には固定板が固定的に取り付けられる。
【００１１】
前記圧縮チャンバの右側内壁には前記ゴミ船の頂面を貫通している取り出し口が連通するように設置される。
【００１２】
前記固定板の中には抜き穴が設置される。
【００１３】
前記圧縮チャンバの右側にはポンプが設置され、前記ポンプの左側面には前記圧縮チャンバに連通している給水管が固定的に取り付けられ、前記ポンプの右側面には前記ゴミ船の頂面を貫通している排水管が固定的に取り付けられる。
【発明の効果】
【００１４】
本発明の有益な効果は：本発明の引き上げ機構は川面浮遊物を集め、川面浮遊物の完全引き上げを保証し、そして収集箱の回転により、収集チャンバ内の浮遊物を回収チャンバ内に入れ、浮遊物に対し集中処理を行い、そして送り機構により浮遊物を圧縮機構内に送り、過程全体は人力で運搬する必要がなく、労働力を減少し、引き上げ効率を増加し、また圧縮機構は浮遊物を圧縮処理でき、浮遊物内の水分を圧出し、そしてポンプにより圧縮チャンバ内の水分を排出し、浮遊物の重さを減少し、浮遊物に対する再加工処理が便利になり、普及する価値がある。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の構造概略図
【図２】図２は図１のＡ―Ａ方向の断面構造概略図
【図３】図３は図１のＢ―Ｂ方向の断面構造概略図
【図４】図４は図１のＣの拡大概略図
【図５】図５は図３のＤ―Ｄ方向の断面構造概略図
【図６】図６は仕切板の上面構造概略図
【発明を実施するための形態】
【００１７】
図１〜６を参照し、本発明の実施例の川面浮遊物回収処理船は、ゴミ船１９を含み、前記ゴミ船１９の前後両側には支持板１６が固定的に取り付けられ、前記ゴミ船１９の左側には川面ゴミを引き上げられる引き上げ機構１０１が設置され、前記引き上げ機構１０１は前記ゴミ船１９の左側面に固定的に取り付けられた回収箱６２を含み、前記回収箱６２の中には回収チャンバ１５が設置され、前記回収チャンバ１５の左側内壁には第二フィルタ４４がヒンジにより取り付けられ、前記回収箱６２の中には回転ロッド１４が回転できるように取り付けられ、前記回転ロッド１４には収集箱１１が固定的に取り付けられ、前記収集箱１１の中には収集チャンバ１３が設置され、前記収集チャンバ１３の左右内壁の間には第一フィルタ１２が固定され、前記第一フィルタ１２と前記第二フィルタ４４により、川面ゴミが前記収集チャンバ１３と前記回収チャンバ１５の中に残され、川面ゴミを収集し、前記引き上げ機構１０１の下方には前記回収チャンバ１５の中のゴミを送ることができる送り機構１０２が設置され、前記ゴミ船１９の中にはまた連結チャンバ３０が設置され、前記連結チャンバ３０の右側には圧縮チャンバ２８が設置され、前記圧縮チャンバ２８の中にはゴミを圧縮できる圧縮機構１０３が設置され、前記送り機構１０２が前記連結チャンバ３０によりゴミを前記圧縮機構１０３の中に送った後、前記圧縮機構１０３がゴミを押し、またゴミから押された水分を排出する。
【００１８】
また、もう一つの実施例には、前記引き上げ機構１０１はまた前記ゴミ船１９の中に設置された動力チャンバ１７を含み、前記動力チャンバ１７の頂壁の中にはモーター１８が固定的に取り付けられ、前記モーター１８の下方向きの出力軸の底面には動力ロッド４０が固定的に取り付けられ、前記動力ロッド４０には第一傘歯車３９が固定的に取り付けられ、前記動力チャンバ１７の後側において前記支持板１６の中には伝動チャンバ４６が設置され、前記動力チャンバ１７と前記伝動チャンバ４６との間には伝動ロッド４９が回転できるように取り付けられ、前記伝動ロッド４９の前側面には第二傘歯車５２が固定的に取り付けられ、前記第二傘歯車５２と前記第一傘歯車３９とが噛合しており、前記伝動ロッド４９の後側面には第一歯車４８が固定的に取り付けられ、前記回転ロッド１４が後方に延びて前記伝動チャンバ４６の前側内壁を貫通しており、前記回転ロッド１４の後側面には第二歯車４５が固定的に取り付けられ、前記第二歯車４５と前記第一歯車４８との間には第一チェーン４７が伝動できるように取り付けられ、それによりゴミを引き上げるとき、モーター１８が始動し動力ロッド４０を回転連動させ、動力ロッド４０が第一傘歯車３９と第二傘歯車５２により伝動ロッド４９を回転連動させ、伝動ロッド４９が第一歯車４８と第一チェーン４７の伝動により第二歯車４５と回転ロッド１４を回転連動させ、収集箱１１を回転させ、収集チャンバ１３内のゴミを回収チャンバ１５の中に入れる。
【００１９】
また、もう一つの実施例には、前記送り機構１０２は前記動力チャンバ１７の下方に設置されたプッシュチャンバ５９を含み、前記動力ロッド４０が下方に延びて前記プッシュチャンバ５９の頂壁を貫通しており、前記プッシュチャンバ５９の中にはプッシュブロック６０がスライドできるように取り付けられ、前記プッシュブロック６０の中には上方に開口したねじ山穴６１が設置され、前記ねじ山穴６１と前記動力ロッド４０とがねじ山により取り付けられ、それにより動力ロッド４０が回転するとき、動力ロッド４０がプッシュブロック６０を上に移動連動させ、連結チャンバ３０を開け、ゴミが連結チャンバ３０により圧縮機構１０３の中に入ることができる。
【００２０】
また、もう一つの実施例には、前記プッシュチャンバ５９の左側にはばねチャンバ５７が設置され、前記ばねチャンバ５７の中には止めブロック５６がスライドできるように取り付けられ、前記止めブロック５６の頂面と前記ばねチャンバ５７の頂壁との間にはばね５８が固定的に取り付けられ、前記止めブロック５６の底面と前記プッシュブロック６０の頂面とが貼り合わせられており、ゴミが前記プッシュチャンバ５９の中に入ることを防止できる。
【００２１】
また、もう一つの実施例には、前記第二フィルタ４４底面には移動溝４３が設置され、前記移動溝４３の中には移動ブロック４２がスライドできるように取り付けられ、前記移動ブロック４２には仕切板４１がヒンジにより取り付けられ、前記仕切板４１と前記ゴミ船１９とがヒンジにより連結され、前記ゴミ船１９の左側面において前記回収箱６２の下方には補助箱３８が固定的に取り付けられ、前記補助箱３８の中には上方に開口したスライドチャンバ３７が前後対称に設置され、前記スライドチャンバ３７の右側において前記ゴミ船１９の中には噛合チャンバ３１が設置され、前記スライドチャンバ３７の左側内壁の中には前記噛合チャンバ３１の左側内壁を貫通しているねじ山ロッド３６が回転できるように取り付けられ、前記ねじ山ロッド３６にはねじ山ブロック３５がねじ山により取り付けられ、前記ねじ山ブロック３５と前記スライドチャンバ３７とがスライドできるように取り付けられ、前記ねじ山ブロック３５にはヒンジロッド３４がヒンジにより取り付けられ、前記ヒンジロッド３４と前記第二フィルタ４４とがヒンジにより取り付けられ、前記ねじ山ロッド３６の右側面には第三傘歯車３３が固定的に取り付けられ、後側の前記噛合チャンバ３１の後側にはチェーンチャンバ５０が設置され、前記チェーンチャンバ５０と前側の前記噛合チャンバ３１との間には連結ロッド５３が回転できるように取り付けられ、前記連結ロッド５３において前記噛合チャンバ３１の中には第四傘歯車３２が固定的に取り付けられ、前記第四傘歯車３２と前記第三傘歯車３３とが噛合しており、前記連結ロッド５３の後側面には第三歯車５４が固定的に取り付けられ、前記伝動ロッド４９において前記チェーンチャンバ５０の中には第四歯車５１が固定的に取り付けられ、前記第四歯車５１と前記第三歯車５４との間には第二チェーン５５が伝動できるように取り付けられ、それにより伝動ロッド４９が回転し第四歯車５１を回転連動させるとき、第四歯車５１が第二チェーン５５と第三歯車５４により連結ロッド５３と第四傘歯車３２を回転連動させ、第四傘歯車３２が第三傘歯車３３によりねじ山ロッド３６を回転連動させ、ねじ山ブロック３５を移動させ、ねじ山ブロック３５がヒンジロッド３４により第二フィルタ４４を回転連動させ、回収チャンバ１５内のゴミを圧縮チャンバ２８の中に入れる。
【００２２】
また、もう一つの実施例には、前記圧縮機構１０３は前記圧縮チャンバ２８の中にスライドできるように取り付けられた圧縮板２１を含み、前記圧縮チャンバ２８の頂壁の中には液圧ポンプ２０が固定的に取り付けられ、前記液圧ポンプ２０の底面には液圧ロッド２７が固定的に取り付けられ、前記液圧ロッド２７の底面と前記圧縮板２１の頂面とが固定的に連結され、前記圧縮チャンバ２８の中には固定板２９が固定的に取り付けられ、それにより川面ゴミが連結チャンバ３０により圧縮チャンバ２８の中に入った後、液圧ポンプ２０が始動し液圧ロッド２７を伸縮させ、圧縮板２１と固定板２９がゴミを圧縮する。
【００２３】
また、もう一つの実施例には、前記圧縮チャンバ２８の右側内壁には前記ゴミ船１９の頂面を貫通している取り出し口２２が連通するように設置され、圧縮されたゴミが前記取り出し口２２により取り出されることができる。
【００２４】
また、もう一つの実施例には、前記固定板２９の中には抜き穴２６が設置され、ゴミが圧縮されたとき生じた水分が抜き穴２６により下に流れる。
【００２５】
また、もう一つの実施例には、前記圧縮チャンバ２８の右側にはポンプ２４が設置され、前記ポンプ２４の左側面には前記圧縮チャンバ２８に連通している給水管２５が固定的に取り付けられ、前記ポンプ２４の右側面には前記ゴミ船１９の頂面を貫通している排水管２３が固定的に取り付けられ、それによりポンプ２４により圧縮チャンバ２８内の水分を給水管２５を経由して吸い込むことができ、また排水管２３により排出する。
【００２６】
使用するとき、ゴミを引き上げるとき、モーター１８が始動し動力ロッド４０を回転連動させ、動力ロッド４０が第一傘歯車３９と第二傘歯車５２により伝動ロッド４９を回転連動させ、伝動ロッド４９が第一歯車４８と第一チェーン４７の伝動により第二歯車４５と回転ロッド１４を回転連動させ、収集箱１１を回転させ、収集チャンバ１３内のゴミを回収チャンバ１５の中に入れ、動力ロッド４０が回転するとき、動力ロッド４０がプッシュブロック６０を上に移動連動させ、連結チャンバ３０を開け、伝動ロッド４９が回転し第四歯車５１を回転連動させるとき、第四歯車５１が第二チェーン５５と第三歯車５４により連結ロッド５３と第四傘歯車３２を回転連動させ、第四傘歯車３２が第三傘歯車３３によりねじ山ロッド３６を回転連動させ、ねじ山ブロック３５を移動させ、ねじ山ブロック３５がヒンジロッド３４により第二フィルタ４４を回転連動させ、回収チャンバ１５内のゴミを圧縮チャンバ２８の中に入れ、ゴミが連結チャンバ３０により圧縮チャンバ２８の中に入った後、液圧ポンプ２０が始動し液圧ロッド２７を伸縮させ、圧縮板２１と固定板２９がゴミを圧縮し、圧縮されたゴミを前記取り出し口２２により取り出すことができ、ゴミが圧縮されたとき生じた水分が抜き穴２６により下に流れ、ポンプ２４により圧縮チャンバ２８内の水分を給水管２５を経由して吸い込むことができ、また排水管２３により排出する。
【００２７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020196422.tif 000003
【図２】
2020196422.tif 000004
【図３】
2020196422.tif 000005
【図４】
2020196422.tif 000006
【図５】
2020196422.tif 000007
【図６】
2020196422.tif 000008
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
正面視で、ゴミ船を含み、前記ゴミ船の前後両側には支持板が固定的に取り付けられ、前記ゴミ船の左側には川面ゴミを引き上げられる引き上げ機構が設置され、前記引き上げ機構は前記ゴミ船の左側面に固定的に取り付けられた回収箱を含み、前記回収箱の中には回収チャンバが設置され、前記回収チャンバの左側内壁には第二フィルタがヒンジにより取り付けられ、前記回収箱の中には回転ロッドが回転できるように取り付けられ、前記回転ロッドには収集箱が固定的に取り付けられ、前記収集箱の中には収集チャンバが設置され、前記収集チャンバの左右内壁の間には第一フィルタが固定され、前記第一フィルタと前記第二フィルタにより、川面ゴミが前記収集チャンバと前記回収チャンバの中に残され、川面ゴミを収集し、
前記引き上げ機構の下方には前記回収チャンバの中のゴミを送ることができる送り機構が設置され、前記ゴミ船の中にはまた連結チャンバが設置され、前記連結チャンバの右側には圧縮チャンバが設置され、前記圧縮チャンバの中にはゴミを圧縮できる圧縮機構が設置され、前記送り機構が前記連結チャンバによりゴミを前記圧縮機構の中に送った後、前記圧縮機構がゴミを押し、またゴミから押された水分を排出し、
前記引き上げ機構はまた動力チャンバと、モーターと、動力ロッドと、第一傘歯車と、伝動チャンバと、伝動ロッドと、第二傘歯車と、第一歯車と、第二歯車と、第一チェーンにより構成され、
前記動力チャンバが前記ゴミ船の中に設置され、前記動力チャンバの頂壁の中には前記モーターが固定的に取り付けられ、前記モーターの下方向きの出力軸の底面には前記動力ロッドが固定的に取り付けられ、前記動力ロッドには前記第一傘歯車が固定的に取り付けられ、前記動力チャンバの後側において前記支持板の中には前記伝動チャンバが設置され、前記動力チャンバと前記伝動チャンバとの間には前記伝動ロッドが回転できるように取り付けられ、前記伝動ロッドの前側面には前記第二傘歯車が固定的に取り付けられ、前記第二傘歯車と前記第一傘歯車とが噛合しており、前記伝動ロッドの後側面には前記第一歯車が固定的に取り付けられ、前記回転ロッドが後方に延びて前記伝動チャンバの前側内壁を貫通しており、前記回転ロッドの後側面には前記第二歯車が固定的に取り付けられ、前記第二歯車と前記第一歯車との間には前記第一チェーンが伝動できるように取り付けられ、
前記送り機構はプッシュチャンバと、プッシュブロック及びねじ山穴により構成され、
前記プッシュチャンバが前記動力チャンバの下方に設置され、前記動力ロッドが下方に延びて前記プッシュチャンバの頂壁を貫通しており、前記プッシュチャンバの中には前記プッシュブロックがスライドできるように取り付けられ、前記プッシュブロックの中には上方に開口した前記ねじ山穴が設置され、前記ねじ山穴と前記動力ロッドとがねじ山により取り付けられ、
前記プッシュチャンバの左側にはばねチャンバが設置され、前記ばねチャンバの中には止めブロックがスライドできるように取り付けられ、前記止めブロックの頂面と前記ばねチャンバの頂壁との間にはばねが固定的に取り付けられ、前記止めブロックの底面と前記プッシュブロックの頂面とが貼り合わせられ、
前記第二フィルタ底面には移動溝が設置され、前記移動溝の中には移動ブロックがスライドできるように取り付けられ、前記移動ブロックには仕切板がヒンジにより取り付けられ、前記仕切板と前記ゴミ船とがヒンジにより連結され、前記ゴミ船の左側面において前記回収箱の下方には補助箱が固定的に取り付けられ、前記補助箱の中には上方に開口したスライドチャンバが前後対称に設置され、前記スライドチャンバの右側において前記ゴミ船の中には噛合チャンバが設置され、前記スライドチャンバの左側内壁の中には前記噛合チャンバの左側内壁を貫通しているねじ山ロッドが回転できるように取り付けられ、前記ねじ山ロッドにはねじ山ブロックがねじ山により取り付けられ、前記ねじ山ブロックと前記スライドチャンバとがスライドできるように取り付けられ、前記ねじ山ブロックにはヒンジロッドがヒンジにより取り付けられ、前記ヒンジロッドと前記第二フィルタとがヒンジにより取り付けられ、前記ねじ山ロッドの右側面には第三傘歯車が固定的に取り付けられ、後側の前記噛合チャンバの後側にはチェーンチャンバが設置され、前記チェーンチャンバと前側の前記噛合チャンバとの間には連結ロッドが回転できるように取り付けられ、前記連結ロッドにおいて前記噛合チャンバの中には第四傘歯車が固定的に取り付けられ、前記第四傘歯車と前記第三傘歯車とが噛合しており、前記連結ロッドの後側面には第三歯車が固定的に取り付けられ、前記伝動ロッドにおいて前記チェーンチャンバの中には第四歯車が固定的に取り付けられ、前記第四歯車と前記第三歯車との間には第二チェーンが伝動できるように取り付けられることを特徴とする川面浮遊物回収処理船。
【請求項２】
前記圧縮機構は圧縮板と、液圧ポンプ、液圧ロッド及び固定板により構成され、
前記圧縮板が前記圧縮チャンバの中にスライドできるように取り付けられ、前記圧縮チャンバの頂壁の中には前記液圧ポンプが固定的に取り付けられ、前記液圧ポンプの底面には前記液圧ロッドが固定的に取り付けられ、前記液圧ロッドの底面と前記圧縮板の頂面とが固定的に連結され、前記圧縮チャンバの中には前記固定板が固定的に取り付けられることを特徴とする請求項１に記載の川面浮遊物回収処理船。
【請求項３】
前記圧縮チャンバの右側内壁には前記ゴミ船の頂面を貫通している取り出し口が連通するように設置されることを特徴とする請求項２に記載の川面浮遊物回収処理船。
【請求項４】
前記固定板の中には抜き穴が設置されることを特徴とする請求項２に記載の川面浮遊物回収処理船。
【請求項５】
前記圧縮チャンバの右側にはポンプが設置され、前記ポンプの左側面には前記圧縮チャンバに連通している給水管が固定的に取り付けられ、前記ポンプの右側面には前記ゴミ船の頂面を貫通している排水管が固定的に取り付けられることを特徴とする請求項２に記載の川面浮遊物回収処理船。